(57)【要約】【課題】杖などに対して着脱可能であり、かつ光輝標示性に優れて一層の安全性の向上に貢献しうる発光安全標示具を提供する。【解決手段】発光安全標示具（１）は、基材としての合成樹脂に蓄光材が配合された弾性樹脂組成物により、環状保持部（１０）の周方向の一部に切欠開口部（１１）を有する切欠環状体に形成され、杖（Ａ）などの棒状被着体（２０）に着脱自在に強制嵌合装着可能となされていることを特徴とする。【選択図】    図３
2005091466.tif 000002
【特許請求の範囲】
【請求項１】
基材としての合成樹脂に蓄光材が配合された弾性樹脂組成物により、環状保持部の周方向の一部に切欠開口部を有する切欠環状体に形成され、
棒状被着体に着脱自在に強制嵌合装着可能となされていることを特徴とする発光安全標示具。
【請求項２】
前記環状保持部の内周面が、開環方向への展開状態において一つの平面で形成されてなる請求項１に記載の発光安全標示具。
【請求項３】
前記環状保持部において、切欠開口部に臨む部分が曲面に形成されてなる請求項１または請求項２に記載の発光安全標示具。
【請求項４】
前記環状保持部の周方向の両端部に、外方に向けて突出するとともに、相互に外方に向けて拡開方向に曲成された導入ガイド部が延設されてなる請求項１ないし請求項３のいずれか１項に記載の発光安全標示具。
【請求項５】
前記弾性樹脂組成物の合成樹脂が熱可塑性樹脂であり、前記切欠環状体が射出成型品である請求項１ないし請求項４のいずれか１項に記載の発光安全標示具。
【請求項６】
前記蓄光材がアルミン酸金属塩を主成分とする蓄光顔料である請求項１ないし請求項５のいずれか１項に記載の発光安全標示具。
【請求項７】
請求項１ないし請求項６のいずれか１項に記載の発光安全標示具が、棒状被着体の外周面に１ないし複数個着脱自在に装着されてなる発光安全標示具付き杖。
【発明の詳細な説明】
【技術分野】
【０００１】
この発明は、杖や車いすのフレームなどに取り付けて、夜間や降雨時においても遠方から杖などの被着体を視認しやすくし、それらの使用者の安全を確保するために使用される発光安全標示具、及び、発光安全標示具付き杖に関する。
【背景技術】
【０００２】
高齢者や身体に障害を持つ人は、姿勢や歩行を補助するために杖を使用したり、車いすを使用することがある。
【０００３】
これら杖や車いすは夜間や降雨時でも使用する場合があるが、当該杖や車いすは光の少ない夜間や降雨時においては特に視認しづらく、たとえば車のへッドライトがわずかしか到達しないような距離では杖などの使用者を発見することが困難で、ブレーキや回避行動が遅れて思わぬ事故が発生することがあった。
【０００４】
従前からこのような事故を未然に防止するため、杖などを遠方からでも視認しやすくし、杖などの使用者の安全性を高めるための種々の提案がなされている(例えば特許文献１、特許文献２)。
【０００５】
特許文献１や特許文献２に記載されている技術は、杖の石突の外周面に照射光を反射することができる反射用筒体を設けるものとしたり、あるいは石突本体の外周面に凹凸を形成して、この凹凸面に照射光を良く反射する塗料を塗布したり、反射用シートを貼着するものである。
【０００６】
このような石突は、夜間や降雨時において自動車からわずかに到達するへッドライト等を強く反射し、その反射光によって遠方からでも運転手に杖の存在を早期に認識させて杖の使用者の安全性を高めることを目的とするものである。
【０００７】
また、本願出願人は先に、石突の外周面に弾性発光体を装着して外観視認性を高めるも
のとした杖を提案した(特許文献３)。
【０００８】
このような杖は石突に具備した発光体が自ら発光するため、自動車のへッドライトが到達しない距離や街灯などの光源がない場合においても、夜間に杖の存在を遠方から認識させ使用者の安全性を高めることができるものである。
【０００９】
更には、蛍光塗料や再帰反射性シートなどは市販されており、これらを杖や車いすのフレームに直接塗布したり、シール状のシートを貼着する方法も従来から提案されていた。    
【特許文献１】特開２０００−１６６６２７号
【特許文献２】特開２０００−３０８５０８号
【特許文献３】特願２００３−８９８７０号
【発明の開示】
【発明が解決しようとする課題】
【００１０】
しかしながら、上記特許文献１〜３に示されるような従来の技術は、いずれも杖の下端に取り付けられる石突に光輝性を付与して外観視認性を高めるようにしたものであって、反射や発光する部分が地面に近く、位置的に杖の存在を自動車の運転手などが視認しにくいものであるという問題を有していた。
【００１１】
一方、蛍光塗料を塗布する方法や再帰反射性シートを貼着する方法では、杖や車いすなどの如何なる部分にも塗布や貼着できるものではあるが、塗布や貼着がなされた杖などを長期間にわたって使用すると、塗装面やシートの劣化や汚れや剥離が発生し反射や発光能力が低下したり、外観上見苦しくなることがある。しかし、塗料やシートの塗り替えや貼り替え作業は溶剤を使用するなど困難な場合が多い。
【００１２】
また、光輝標示性を必要とされるのは暗所や夜間であるが、蛍光塗料の塗布や再帰反射性シートの貼付では不要時に取り外したり、使用場所や使用時間に応じて標示位置を変更することができないという不都合もあった。
【００１３】
この発明は、上記従来の技術的問題を解消し、杖などに対して着脱可能であり、かつ光輝標示性に優れて一層の安全性の向上に貢献しうる発光安全標示具を提供することを目的とする。
【課題を解決するための手段】
【００１４】
本発明は、以下の手段を提供することにより上記課題を解決する。
〔１〕  基材としての合成樹脂に蓄光材が配合された弾性樹脂組成物により、環状保持部の周方向の一部に切欠開口部を有する切欠環状体に形成され、棒状被着体に着脱自在に強制嵌合装着可能となされていることを特徴とする発光安全標示具。
〔２〕  前記環状保持部の内周面が、開環方向への展開状態において一つの平面で形成されてなる前記項１に記載の発光安全標示具。
〔３〕  前記環状保持部において、切欠開口部に臨む部分が曲面に形成されてなる前記項１または項２に記載の発光安全標示具。
〔４〕  前記環状保持部の周方向の両端部に、外方に向けて突出するとともに、相互に外方に向けて拡開方向に曲成された導入ガイド部が延設されてなる前記項１ないし項３のいずれか１項に記載の発光安全標示具。
〔５〕  前記弾性樹脂組成物の合成樹脂が熱可塑性樹脂であり、前記切欠環状体が射出成型品である前記項１ないし項４のいずれか１項に記載の発光安全標示具。
〔６〕  前記蓄光材がアルミン酸金属塩を主成分とする蓄光顔料である前記項１ないし項５のいずれか１項に記載の発光安全標示具。
〔７〕  前記項１ない項６のいずれか１項に記載の発光安全標示具が、棒状被着体の外周面に１ないし複数個着脱自在に装着されてなる発光安全標示具付き杖。
【発明の効果】
【００１５】
［１］の発明にかかる発光安全標示具によれば、棒状被着体を切欠開口部から環状保持部内に強制嵌合させ、あるいは環状保持部から嵌合解除することにより、棒状被着体の任意の位置に着脱自在に装着することができる。装着状態においては、合成樹脂の弾性による抱持力及び環状保持部の内周面と被着体との摩擦力によってずれが抑制され、安定した装着状態が得られる。そして、蓄光材の発光により優れた視認性を得て使用者の安全性を高めることができる。また、着脱自在であるから標示位置の変更や異なる棒状被着体への装着も可能である。
【００１６】
［２］の発明によれば、環状保持部の内周面と棒状被着体とを広い面積で接触させ、高い摩擦力を得て装着状態をさらに安定させることができる。
【００１７】
［３］の発明によれば、手指に対してソフトに接触し安全に着脱操作を行える。また、発光安全標示具を装着した棒状被着体の使用時においても安全である。
【００１８】
［４］の発明によれば、発光安全標示具の着脱操作を容易に行うことができる。
【００１９】
［５］の発明によれば、製造コストが安く、安価に発光安全標示具を提供することができる。
【００２０】
［６］の発明によれば、発光時間が長く耐久性に優れた発光安全標示具とすることができる。しかも、放射性物質を含まないため、使用時や廃棄時にも安全である。また、合成樹脂になじみ易く容易に標示具を製造することができる。
【００２１】
［７］の発明にかかる発光安全標示具付き杖よれば、前記発光安全標示具が装着された杖であるため、前記効果を発揮することのできる杖とすることができる。更に、当該杖を机の縁や手すりなどに立てかけた際に、机などの縁に発光安全標示具を係止させることで、杖の倒れやずり落ちを防止することもできる。
【発明を実施するための最良の形態】
【００２２】
図１および図２に、本発明にかかる発光安全標示具の一実施形態を示す。
【００２３】
発光安全標示具（１）は、円筒状保持部（１０）の周方向の一部が切り欠かれて切欠開口部（１１）が形成された合成樹脂製切欠環状体である。なお、前記円筒状保持部（１０）は本発明における環状保持部に対応する。
【００２４】
前記円筒状保持部（１０）は一定の厚さ（Ｔ）に形成され、内周面（１０ａ）および外周面（１０ｂ）はそれぞれ凹凸のない１つの曲面で形成されている。従って、前記内周面（１０ａ）および外周面（１０ｂ）は円筒状保持部（１０）を開環方向に展開すると１つの平面となる。
【００２５】
また、前記円筒状保持部（１０）の周方向の両端部（１２）（１２）、即ち前記切欠開口部（１１）に臨む部分は外方に向けて突出するとともに、相互に外方に向けて拡開方向に曲成され、該円筒状保持部（１０）から導入ガイド部（１３）（１３）が延設されている。この導入ガイド部（１３）は、円筒状保持部（１０）から弧状に曲成され、かつその外周面（１３ａ）は曲面で形成されている。これにより、発光安全標示具（１）は、円筒状保持部（１０）の内周面（１０ａ）から導入ガイド部（１３）の外周面（１３ａ）を経て円筒状保持部（１０）の外周面（１０ｂ）に至る部分が曲面で形成されている。
【００２６】
前記導入ガイド部（１３）（１３）は、被着体に発光安全標示具（１）を強制嵌合する際に切欠開口部（１１）を押し広げて開口幅（Ｗ）は拡大させるものである。
【００２７】
前記切欠開口部（１１）の開口幅（Ｗ）は、環状保持体および棒状被着体の形状など応じて適宜設定される。
【００２８】
前記発光安全標示具（１）は、基材としての合成樹脂に蓄光材が配合された弾性樹脂組成物により構成されている。
【００２９】
前記合成樹脂としては、適度な弾性を有し、かつ配合した蓄光材に外部光が到達しやすく発光の放射を妨げない樹脂が好ましく、透明または白色の樹脂を用いることが好ましい。例えば、ポリプロピレン樹脂、ポリスチレン樹脂、アクリロニトリル・ブタジエン・スチレン樹脂（ＡＢＳ）等のポリオレフィン系熱可塑性樹脂を推奨でき、特にポリスチレン樹脂を推奨できる。また、エチレン・プロピレンゴム（ＥＰＤＭ）、スチレン・ブタジエン共重合系合成ゴム（ＳＢＲ）、ニトリルゴム（ＮＢＲ）等の合成樹脂も使用できる。
【００３０】
ここで、蓄光材は、発光時に光源が必要な反射部材や蛍光顔料とは異なり、電灯や昼間の太陽光の光を内部に蓄積し、暗闇において自ら長時間発光するものであり、蓄光と発光とを半永久的に繰り返すことができる。
【００３１】
蓄光材としては、発光時間が長く、耐久性に優れたものを用いるのが良い。また、使用時および廃棄時の安全性の点で、放射性物質を含まないものを用いるのが良い。例えばアルミン酸ストロンチウム、珪素アルミン酸ストロンチウム、アルミン酸カルシウム等のアルミン酸金属塩を主成分とする蓄光顔料を好適に用いることができる。特に前記蓄光顔料は、発光時間や発光輝度に優れており、一晩中、視認できる程度の輝度を有している。しかも合成樹脂になじみ易く、弾性樹脂組成物の調製が容易であり、発光安全標示具の製造が容易になる。また、前記蓄光材は合成樹脂と均一に混合するために微粉末状のものが好ましいが、均一混合を阻害しない限り粒状のものを用いることができる。
【００３２】
弾性樹脂組成物としては、合成樹脂１００重量部に対して蓄光顔料２〜５０重量部を配合したもの、中でも特に上限値を３０重量部以下に配合したものを用いるのが好ましい。前記蓄光材が２重量部未満では発光安全標示具（１）の発光輝度が不足して、暗闇で視認され難くなる。一方、５０重量部より多ければ、伸びや弾性等の物性値が悪化して、所要形状への成型が困難になったり、被着体への着脱が困難になるため好ましくない。
【００３３】
また弾性樹脂組成物には、要求される物性に応じて補強剤等を適宜配合するのが好ましい。
【００３４】
前記発光安全標示具（１）は、上記弾性樹脂組成物を用いて射出成型により所要形状に成型することが好ましい。射出成型によれば製造コストが安く、発光安全標示具を安価に提供できる。
【００３５】
次に、前記発光安全標示具（１）の使用方法について、杖（Ａ）に装着する場合を例に挙げて説明する。杖（Ａ）は、図３に示すように、断面円形の杖本体（２０）の上端に把持部（２１）を備え、下端には石突（２２）を備えるものである。また、前記発光安全標示具（１）の円筒状保持部（１０）の内径（Ｄ１）は杖本体（２０）の外径よりもやや小さく設計されている。
【００３６】
まず、発光安全標示具（１）の導入ガイド部（１３）（１３）を杖本体（２０）の外周面に押し当てる。さらに杖本体（２０）に押しつける方向に力を加えていくと、導入ガイド部（１３）（１３）の拡開誘導作用により、円筒状保持部（１０）は切欠開口部（１１）の開口幅（Ｗ）が押し広げられる方向に撓み、杖本体（２０）の外径相当まで拡大されて杖本体（２０）が切欠開口部（１１）を通過した後、杖本体（２０）が円筒状保持部（１０）に嵌合される。この強制嵌合状態において、円筒状保持部（１０）の内周面（１０ａ）は杖本体（２０）の外周面に沿い、かつ合成樹脂自体の弾性（撓みの復元力）により円筒状保持部（１０）が杖本体（２０）を抱持して杖本体（２０）の所定の部分に固定される。
【００３７】
以上の取り付け操作は、発光安全標示具（１）の切欠開口部（１１）に臨む部分に角張りがないため、使用者の手指を傷つけることなく安全に行うことができる。また、装着した杖（Ａ）の使用時においても安全である。
【００３８】
また、前記円筒状保持部（１０）の内周面が凹凸のない曲面で形成されているため、円筒状保持部（１０）の内周面（１０ａ）全域の広い面積で杖本体（２０）に接触し、接触面における摩擦力が高められる。このため、長時間上下方向に振動が発生する杖本体（２０）に装着された場合においても、発光安全標示具（１）の位置ずれが抑制される。
【００３９】
また、発光安全標示具（１）を杖本体（２０）から取り外す場合には、円筒状保持部（１０）を指先でつまんで引き抜くか、あるいは一方の導入ガイド部（１３）に指をかけて円筒状保持部（１０）を開環させながら引き抜く。いずれの場合も、円筒状保持部（１０）から杖本体（２０）の嵌合を解除して容易に発光安全標示具（１）を取り外すことができる。
【００４０】
また、発光安全標示具（１）の着脱は、棒状被着体（２０）の外周面に対して切欠開口部（１１）から強制嵌合させることによって行われるから、棒状被着体（２０）の長さ方向の任意の位置に装着することができる。また、端部が閉鎖された棒状被着体、環状の被着体にも装着することもできる。
【００４１】
従って、昼間など発光安全標示具（１）が不要な場合は杖（Ａ）から取り外しておき、必要な場合にのみ装着することができる。また、杖（Ａ）に取り付けていた発光安全標示具（１）を車いすのフレームに付け替えるなど発光安全標示具（１）を使い回すことができる。
【００４２】
また、発光安全標示具（１）を杖本体（２０）に装着した状態で切欠開口部（１１）を少し押し広げると抱持状態が緩和され、杖本体（２０）上をスライドさせることができる。これにより、発光安全標示具（１）を装着したまま取付位置を調整することができる。
【００４３】
例えば、図４（ｂ）に示すように杖（Ａ）を机の縁（Ｂ）などに立てかけると杖（Ａ）が滑って倒れてしまうことが多々ある。このような場合、発光安全標示具（１）の取付位置を微調整して図４（ａ）に示すように、机などの縁（Ｂ）に安全標示具（１）を係止させることで、机の縁（Ｂ）に立てかけられた杖（Ａ）の倒れを防止することもできる。
【００４４】
本発明の発光安全標示具は、上述した実施形態に限定されるものではない。
【００４５】
例えば、環状保持部の形状は、図示例の円形の他、被着体の形状に応じて三角形や四角形や六角形や楕円形の環状など任意の環形状を採用しうる。
【００４６】
また、環状保持部の内周面には凹凸が形成されていても良い。展開状態において一つの平面となされる内周面形状を推奨するのは、外周面に凹凸のない棒状被着体に沿わせて広い接触面積を確保し、高い摩擦力を得て位置ずれを抑制するためである。従って、凹凸を有する棒状被着体に対しては、環状保持部に内周面をその凹凸に倣った形状に形成することにより広い接触面を確保することができる。また、環状保持部の外周面形状も限定されず、例えば断面円弧状に膨出させても良く、使用者などに発光安全標示具（１）をソフトに接触させることができる。
【００４７】
環状保持部（１０）の導入ガイド部（１２）は着脱操作を容易にするものであるが、図５に示す発光安全標示具（２）のように環状保持部（３０）に導入ガイド部がないものも本発明に含まれる。
【００４８】
環状保持部（１０）（３０）の切欠開口部（１１）に臨む部分は、安全性確保のために曲面に形成されていることが好ましい。切欠開口部（１１）に臨む部分とは、図５の発光安全標示具（２）のように導入ガイド部のない環状保持部（３０）においては、環状保持部（３０）の周方向の両端部（３１）（３１）であり、図１および図２の発光安全標示具（１）においては環状保持部（１０）の両端部（１２）（１２）および導入ガイド（１３）（１３）を含む部分である。また、本発明でいう曲面とは、図１および図２に示すように該当部分を一つの連続した曲面に形成したものの他、図５に示すように端面（３２）の両端角部（３３）（３３）を小さい曲率で面取りしたものも含まれる。なお、導入ガイド部（１３）についても、環状保持部（１０）の両端部（１２）から連続した曲面に形成したもの（図１および図２）の他、端面の両端を面取りしても良い。
【実施例１】
【００４９】
図１および図２に示す形状の発光安全標示具（１）を製作した。
【００５０】
発光安全標示具（１）は、円筒状保持部（１０）の内径（Ｄ１）：１４．５ｍｍ、外径（Ｄ２）：１９．５ｍｍ、厚さ（Ｔ）：２．５ｍｍ、高さ（Ｈ）：１０ｍｍ、切欠開口部（１１）の開口幅（Ｗ）：９ｍｍに設定されている。
【００５１】
発光安全標示具（１）を構成する弾性樹脂組成物は、基材としてポリプロピレン樹脂、蓄光材としてアルミン酸ストロンチウムを用い、配合比は基材１００重量部に対して蓄光材を２０重量部配合したものを使用した。そしてこの弾性樹脂組成物を射出成型により所要形状に成型した。
【００５２】
一方、棒状被着体として図３に示す杖（Ａ）を用いた。杖（Ａ）の杖本体（２０）の外径は１６ｍｍ〜１７ｍｍに形成されている。そして、発光安全標示具（１）は、杖本体（２０）の下部、中間部、上部の３カ所に装着した。
【００５３】
発光安全標示具（１）の着脱を多数回にわたって実施したが、いずれの場合も片手で安全かつ容易に着脱操作を行うことができた。また、装着状態において位置ずれすることもなかった。
【００５４】
杖（Ａ）に装着した発光安全標示具（１）は、夜間約３０ｍ離れたところからでも十分に視認することができ、かつそ残光時間は１２時間以上持続するものであった。
【産業上の利用可能性】
【００５５】
この発明は、高齢者や障害着などのために歩行用補助具として使用される片手杖、ステッキ、松葉杖等や車いすやストレッチャーなどの介護用品等に利用できるのはもとより、自転車や乳母車のフレーム、傘にも装着でき、夜間における視認性を高めて使用者の安全性を確保できる。
【００５６】
さらに、本発明の発光安全標示具は工事現場や歩道における防護柵のパイプや杭などにも装着でき、歩行者や通行車両の安全性確保のためにも広く適用されるものである。
【図面の簡単な説明】
【００５７】
【図１】本発明にかかる発光安全標示具の一実施形態の全体斜視図である。
【図２】図１の発光安全標示具の上面図である。
【図３】発光安全標示具の使用状態を示す斜視図である。
【図４】杖を机の縁に立てかけた状態及び倒れる様子を二点鎖線で示す斜視図である。
【図５】本発明にかかる発光安全標示具の他の実施形態の全体斜視図である。
【符号の説明】
【００５８】
１、２：発光安全標示具
１０、３０：円筒状保持部（環状保持部）
１０ａ：内周面
１１：切欠開口部
１２，３１：端部
１３：導入ガイド部
【図１】
2005091466.tif 000003
【図２】
2005091466.tif 000004
【図３】
2005091466.tif 000005
【図４】
2005091466.tif 000006
【図５】
2005091466.tif 000007